(57)【要約】【課題】液晶パネルと外枠部材を、接着剤で完全に固定して一体化してしまうと、液晶パネルの検査工程において、品質上の重大な欠点が発見された場合に、一旦接着した液晶パネルを取外すことが困難であり、交換作業ができない虞が有るという課題を有している。また、液晶パネル及び挟持枠体の寸法バラツキのため、液晶パネルが振動し、ビビリが生じる。【解決手段】本発明は、第１挟持枠体に緩衝材を設ける工程と、第２挟持枠体に開口部を設ける工程と、挟持枠体で液晶パネルを挟持する工程と、液晶パネルの動作を検査する工程と、挟持枠体の開口部から接着剤を充填する工程と、接着剤に開口部を介して紫外線を照射する工程を備えた液晶パネルユニットの製造方法としているので、作業性の良いビビリ防止の液晶パネルユニットができる。【選択図】　図１
2004133100.tif 000002
【特許請求の範囲】
【請求項１】
二枚の対向する透明絶縁性基板の間に液晶材料を挟持してなる液晶パネルと、該液晶パネルの周縁部を挟持する挟持枠体を備えた液晶パネルユニットの製造方法において、
前記液晶パネルの裏面周縁部に対応する第１の挟持枠体に緩衝材を設ける工程と、
前記液晶パネルの表面周縁部に対応する第２の挟持枠体に開口部を設ける工程と、
前記第１の挟持枠体を前記液晶パネルの裏面に設け、且つ前記第２の挟持枠体を前記液晶パネルの前面に設けて、液晶パネルを挟持する工程と、
前記液晶パネルを検査する工程と、
前記検査工程後に、前記第２の挟持枠体の前記開口部から接着剤を充填する工程と、
前記接着剤に前記開口部を介して紫外線を照射して、前記接着剤を硬化する工程を備えたことを特徴とする液晶パネルユニットの製造方法。
【請求項２】
二枚の対向する透明絶縁性基板の間に液晶材料を挟持してなる液晶パネルと、該液晶パネルの周縁部を挟持する挟持枠体を備えた液晶パネルユニットの製造方法において、
前記液晶パネルの裏面周縁部に対応する第１の挟持枠体に開口部を設ける工程と、
前記液晶パネルの表面周縁部に対応する第２の挟持枠体に緩衝材を設ける工程と、
前記第１の挟持枠体を前記液晶パネルの裏面に設け、且つ前記第２の挟持枠体を前記液晶パネルの前面に設けて、液晶パネルを挟持する工程と、
前記液晶パネルを検査する工程と、
前記検査工程後に、前記第１の挟持枠体の前記開口部から接着剤を充填する工程と、
前記接着剤に前記開口部を介して紫外線を照射して、前記接着剤を硬化する工程を備えたことを特徴とする液晶パネルユニットの製造方法。
【請求項３】
二枚の対向する透明絶縁性基板の間に液晶材料を挟持してなる液晶パネルと、該液晶パネルの周縁部を挟持する挟持枠体を備えた液晶パネルユニットの製造方法において、
第１の挟持枠体に開口部と緩衝材を設ける工程と、
第２の挟持枠体に前記第１の挟持枠体と異なる位置に開口部と緩衝材を設ける工程と、
前記第１の挟持枠体を前記液晶パネルの裏面に設け、且つ前記第２の挟持枠体を前記液晶パネルの前面に設けて、液晶パネルを挟持する工程と、
前記液晶パネルを検査する工程と、
前記検査工程後に、前記第１及び第２の挟持枠体の前記開口部から接着剤を充填する工程と、
前記接着剤に前記開口部を介して紫外線を照射して、前記接着剤を硬化する工程を備えたことを特徴とする液晶パネルユニットの製造方法。
【請求項４】
前記接着剤を充填する工程において、
前記接着剤は、前記緩衝材と前記液晶パネルに充填することを特徴とする請求項１〜請求項３のいずれか一項に記載の液晶パネルユニットの製造方法。
【請求項５】
前記接着剤を充填する工程であって、
前記接着剤は、前記緩衝材と、前記液晶パネルと、前記第１及び第２の挟持枠体の少なくとも一方の前記開口部に充填することを特徴とする請求項１〜請求項３のいずれか一項に記載の液晶パネルユニットの製造方法。
【請求項６】
請求項１〜請求項５のいずれか一項に記載の液晶パネルユニットと、
液晶パネルの裏面側から該液晶パネルの照明をおこなう光源と、液晶パネルの裏面側であって前記光源を囲むように設けられた反射板を設けた光源ユニットを備えた液晶表示装置の製造方法において、
前記液晶パネルユニットと前記光源ユニットを筐体に固定する工程を含むことを特徴とする液晶表示装置の製造方法。
【発明の詳細な説明】
【０００１】
【発明の属する技術分野】
本発明は、液晶パネルを挟持する挟持枠体を備えた液晶パネルユニットの製造方法、及び該液晶パネルユニットと、光源から発せられた光を所定方向へ反射する光源ユニットを備えた液晶表示装置の製造方法に関するものである。
【０００２】
【従来の技術】
従来の液晶パネルを固定するための液晶表示装置に関して、図３５の斜視図及び図３６の概略断面図に示したものが知られている（例えば、特許文献１。）。特許文献１である特開２０００−１４７４６９号公報によれば、外枠部材４３は合成樹脂で、液晶パネル４７と相嵌合する形状の凹所４２ａが形成されている。この凹所４２ａの底部には液晶パネル４７の表示面に対応する位置に開口部４２ｂが形成され、周壁部４２ｄの複数箇所には接着剤の注入部４２ｃが形成されている。
【０００３】
また、液晶パネル４７と外枠部材４３は、複数の注入部４２ｃに接着剤として紫外線硬化型樹脂４１が充填され硬化することにより一体化される。外枠部材４３の凹所４２ａへ液晶パネル４７を嵌め込むだけで、当該凹所４２ａ内で液晶パネル４７の位置決め・仮止めを行うことができるとともに、注入部４２ｃへ局所的に樹脂４１を塗布した後に紫外線を照射して硬化させ、液晶パネル４７と外枠部材４３とを一体的に固定することができる技術が記載されている。
【０００４】
【特許文献１】
特開２０００−１４７４６９号公報
【０００５】
【発明が解決しようとする課題】
上述した特開２０００−１４７４６９号公報記載のように、液晶パネルと外枠部材を、接着剤で完全に固定して一体化してしまうと、液晶パネルの検査工程において、品質上の重大な欠点が発見された場合に、一旦接着した液晶パネルを取外すことが困難であり、交換作業ができない虞が有るという課題を有している。
【０００６】
大型の液晶表示装置では、液晶パネル及び挟持枠体自体がたわむため、又液晶パネル及び挟持枠体の寸法のバラツキがあるため、たわみやバラツキ分を逃げる隙間が必要となる。しかしながら、それぞれに隙間を設けると、その隙間の分だけガタが生じ、スピーカを備えていると、その振動により液晶パネルが振動し、ビビリが生じる。
【０００７】
本発明は、液晶パネルの動作検査後に、接着剤を充填、硬化させることにより、作業性の良い液晶パネルユニットを製造する方法、及び液晶表示装置を製造する方法を提供することを目的とする。また液晶パネルを固定しても、表示画面にプーリング（波打つ現象）の現象がなく、かつスピーカによる液晶パネルの振動によるビビリ音を防止できる製造方法を提供することも目的とする。
【０００８】
【課題を解決するための手段】
そこで、上記の問題を解決するために本発明は、二枚の対向する透明絶縁性基板の間に液晶材料を挟持してなる液晶パネルと、該液晶パネルの周縁部を挟持する挟持枠体を備えた液晶パネルユニットの製造方法において、前記液晶パネルの裏面周縁部に対応する第１の挟持枠体に緩衝材を設ける工程と、前記液晶パネルの表面周縁部に対応する第２の挟持枠体に開口部を設ける工程と、前記第１の挟持枠体を前記液晶パネルの裏面に設け、且つ前記第２の挟持枠体を前記液晶パネルの前面に設けて液晶パネルを挟持する工程と、前記液晶パネルを検査する工程と、前記検査工程後に前記第２の挟持枠体の前記開口部から接着剤を充填する工程と、前記接着剤に前記開口部を介して紫外線を照射して、前記接着剤を硬化する工程を備えたことを特徴とする液晶パネルユニットの製造方法とする。
【０００９】
また、二枚の対向する透明絶縁性基板の間に液晶材料を挟持してなる液晶パネルと、該液晶パネルの周縁部を挟持する挟持枠体を備えた液晶パネルユニットの製造方法において、前記液晶パネルの裏面周縁部に対応する第１の挟持枠体に開口部を設ける工程と、前記液晶パネルの表面周縁部に対応する第２の挟持枠体に緩衝材を設ける工程と、前記第１の挟持枠体を前記液晶パネルの裏面に設け、且つ前記第２の挟持枠体を前記液晶パネルの前面に設けて、液晶パネルを挟持する工程と、前記液晶パネルを検査する工程と、前記検査工程後に前記第１の挟持枠体の前記開口部から接着剤を充填する工程と、前記接着剤に前記開口部を介して紫外線を照射して、前記接着剤を硬化する工程を備えたことを特徴とする液晶パネルユニットの製造方法とする。
【００１０】
さらに、二枚の対向する透明絶縁性基板の間に液晶材料を挟持してなる液晶パネルと、該液晶パネルの周縁部を挟持する挟持枠体を備えた液晶パネルユニットの製造方法において、第１の挟持枠体に開口部と緩衝材を設ける工程と、第２の挟持枠体に前記第１の挟持枠体と異なる位置に開口部と緩衝材を設ける工程と、前記第１の挟持枠体を前記液晶パネルの裏面に設け、且つ前記第２の挟持枠体を前記液晶パネルの前面に設けて、液晶パネルを挟持する工程と、前記液晶パネルを検査する工程と、前記検査工程後に前記第１及び第２の挟持枠体の前記開口部から接着剤を充填する工程と、前記接着剤に前記開口部を介して紫外線を照射して、前記接着剤を硬化する工程を備えたことを特徴とする液晶パネルユニットの製造方法とする。
【００１１】
上記製造方法によれば、液晶パネルを挟持枠体で挟持してから、液晶パネルを検査し、液晶パネルが不良品の場合には液晶パネルを交換し、良品の場合には挟持枠体の開口部から紫外線硬化型接着剤を充填し、接着剤を硬化させることにより、作業性の良い液晶パネルユニットができる。
【００１２】
また、前記接着剤を充填する工程であって、前記接着剤は、前記緩衝材と前記液晶パネルに充填すること、又は前記緩衝材と前記液晶パネルと前記第１及び第２の挟持枠体の少なくとも一方の前記開口部に充填することを特徴とする液晶パネルユニットの製造方法とする。
【００１３】
さらに、上記の液晶パネルユニットと、液晶パネルの裏面側から該液晶パネルの照明をおこなう光源と、液晶パネルの裏面側であって前記光源を囲むように設けられた反射板を設けた光源ユニットを備えた液晶表示装置の製造方法において、前記液晶パネルユニットと前記光源ユニットを筐体に固定する工程を含むことを特徴とする液晶表示装置の製造方法とする。
【００１４】
上記製造方法によれば、液晶パネルを挟持枠体で挟持してから、液晶パネルを検査し、液晶パネルが不良品の場合には液晶パネルを交換し、良品の場合には挟持枠体の開口部から紫外線硬化型接着剤を充填、硬化させる方法により、製造した液晶パネルユニットを備えている液晶表示装置であるので、作業性の良い液晶表示装置ができる。また液晶パネルを固定しても、表示画面にプーリング（波打つ現象）の現象がなく、かつスピーカによる液晶パネルの振動によるビビリ音を防止できる。
【００１５】
【発明の実施の形態】
以下に、本発明の第１の実施形態に関する液晶パネルユニットの製造方法について、図面を用いて説明する。図１は、本発明の液晶パネルユニットの製造方法を示す流れ図である。図６〜図８は、液晶パネルユニットの構成を示すもので、図３は第１の挟持枠体の平面図であり、又図４は第１の挟持枠体上に液晶パネルを配置した場合の平面図であり、さらに図５は図４に示す液晶パネル上に第２の挟持枠体を配置した場合の平面図である。
【００１６】
液晶パネル１２は、二枚の対向する透明絶縁性基板の間に液晶材料を挟持してなり、又液晶パネルユニットは、前記液晶パネル１２の周縁部を挟持する挟持枠体と液晶パネル１２を備えた構成になっている。
【００１７】
また、前記挟持枠体１０は、図６〜図８に示すように前記液晶パネル１２の裏面側に設けた第１の挟持枠体１０ａと、前記液晶パネル１２の前面側に設けた第２の挟持枠体１０ｂから構成され、液晶パネルユニットとバックライトユニットは、前面筐体１６と裏面筐体１７により、固定されている。以下、図１、及び図６〜図８を用いて、液晶パネルユニットの製造方法について、さらに詳しく説明する。
【００１８】
（工程１）
第１の挟持枠体１０ａに、その四隅にゴムなどからなる緩衝材２０と、上辺、下辺、及び左辺にゴムなどからなる複数の長四角形の緩衝材２２を設ける（５４）。緩衝材を設ける位置は、液晶パネル１２の周縁部にあたる部分である。緩衝材を設ける方法は、例えば接着剤、又は両面テープにより接着固定する。第１の挟持枠体１０ａには、四隅に設けた鉤型の位置決め部材２４を設けておくと良い。
【００１９】
尚、位置決め部材２４は、液晶パネル１２の厚みと略同じ厚みを有している。第２の挟持枠体１０ｂには、接着剤を充填するための複数の長四角形の開口部２７と、ゴムなどからなる緩衝材２０を同様な方法により設ける（５５）。開口部の位置は、第１の挟持枠体１０ａに設けた緩衝材と、液晶パネルの周縁部の一部が露出するようにする。
【００２０】
（工程２）
緩衝材２０、２２と位置決め部材２４を設けた第１の挟持枠体１０ａに、位置決め部材２４を基準に、液晶パネル１２を第１の挟持枠体１０ａの緩衝材２０、２２上に配置する。次に、前記液晶パネル上に複数の長四角形の開口部２７と緩衝材２０が設けられている第２の挟持枠体１０ｂを重ねて配置固定する（５６）。上記において、液晶パネル１２の周縁部の一部が、前記開口部２７から、露出するように構成される。
【００２１】
（工程３）
挟持枠体１０ａ、１０ｂで挟持された液晶パネル１２の品質等の検査をおこなう（５７）。液晶パネルの検査工程において、品質上の重大な欠点が発見された場合には、挟持枠体１０ａ、１０ｂと液晶パネル１２の三つに分解し（５８）、液晶パネルを交換する（５９）。良品の場合には次の工程に入る。
【００２２】
（工程４）
良品の場合には、第２の挟持枠体１０ｂの開口部２７から接着剤を充填する（６０）。上記接着剤を充填する位置について、説明する。第１の挟持枠体１０ａに設けた緩衝材と、液晶パネル１２に充填する（６０ａ）。又は第１の挟持枠体１０ａに設けた緩衝材と、液晶パネル１２と、第２の挟持枠体１０ｂの開口部２７に充填する（６０ｂ）。あるいは、第１の挟持枠体１０ａに設けた緩衝材と、液晶パネル１２を構成する第１の透明絶縁性基板１２ａの周縁部に充填する（６０ｃ）。
【００２３】
本発明の第１の実施形態にかかわる接着剤を充填する工程について、液晶パネルユニットの断面図を用いてさらに詳細に説明する。図１５〜図１８、図２３、図２４、図２７、及び図２９は、液晶パネルユニットの平面図である図８のＢ―Ｂ矢視断面に示す概略断面図である。
【００２４】
尚、液晶パネル１２は、表示裏面側の第１の透明絶縁性基板１２ａと、表示面側の第２の透明絶縁性基板１２ｂから構成され、液晶パネルの駆動回路端子（図示せず）との関係で、断面形状は二種類の形状が存在する。
【００２５】
例えば、図１７に示すように、第１の透明絶縁性基板１２ａと第２の透明絶縁性基板１２ｂが同じ形状であるために、断面が垂直になっているものと、図１５に示すように、第２の透明絶縁性基板１２ｂより第１の透明絶縁性基板１２ａの方が大きいために、階段状になっているものがある。
【００２６】
図１５において、液晶パネル１２の裏面側に設けた第１の挟持枠体１０ａと、前記液晶パネル１２の前面側に設けた第２の挟持枠体１０ｂは、固定部材３１により固定されている。液晶パネル１２は、第２の透明絶縁性基板１２ｂより第１の透明絶縁性基板１２ａの方が大きいために、階段状になっている。緩衝材２２上に液晶パネルの周縁部が配置され、かつ接着剤２８は、緩衝材２２と第１の透明絶縁性基板１２ａと第２の透明絶縁性基板１２ｂに充填されている。接着剤２８は、第２の挟持枠体１０ｂの開口部２７から充填する。
【００２７】
また、前記接着剤２８は、紫外線硬化型接着剤が好ましい。紫外線硬化型接着剤は、紫外線ランプにより、紫外線を３秒から６０秒照射することにより短時間で硬化し生産性に優れている。紫外線硬化型接着剤として、ジーイー東芝シリコーン株式会社製のＴＳＥ３５０、３５０２、３５０３、３５０４、３５６２、３４５３、３４５０、３４６６などが用いられる。上記接着剤の硬化後の硬さは、３０から８０（ＪＩＳ　Ａ）であり、ソフトな接着剤である。尚、上記構造の場合は、ソフトな接着剤に限られず、ハードな接着剤であっても良い。液晶パネル１２が緩衝材２２を介して固定されているからである。
【００２８】
さらに、以下の説明では、図１５と異なる点のみ説明し、重複部分は、同じ記号を付して説明を省略する。図１６では、接着剤２８は、緩衝材２２と第１の透明絶縁性基板１２ａと第２の透明絶縁性基板１２ｂと第２の挟持枠体１０ｂの開口部２７に充填されている。尚、上記構造の場合は、ソフトな接着剤に限られる。液晶パネル１２と第２の挟持枠体１０ｂの開口部２７に接着剤２８が充填されているからである。
【００２９】
また、図１７では、第１の透明絶縁性基板１２ａと第２の透明絶縁性基板１２ｂが同じ形状で、接着剤２８は、緩衝材２２と第１の透明絶縁性基板１２ａと第２の透明絶縁性基板１２ｂに充填されている。尚、上記構造の場合は、ソフトな接着剤に限られず、ハードな接着剤であっても良い。液晶パネル１２が緩衝材２２を介して固定されているからである。
【００３０】
さらに、図１８では、第１の透明絶縁性基板１２ａと第２の透明絶縁性基板１２ｂが同じ形状で、接着剤２８は、緩衝材２２と第１の透明絶縁性基板１２ａと第２の透明絶縁性基板１２ｂと第２の挟持枠体１０ｂの開口部２７に充填されている。尚、上記構造の場合は、ソフトな接着剤に限られる。液晶パネル１２と第２の挟持枠体１０ｂの開口部２７に接着剤２８が充填されているからである。
【００３１】
そして、図２３では、第２の挟持枠体１０ｂの開口部２７に緩衝材３３が設けられ、接着剤２８は、緩衝材２２と第１の透明絶縁性基板１２ａと第２の透明絶縁性基板１２ｂと第２の挟持枠体１０ｂの開口部２７に充填されている。尚、上記構造の場合は、ソフトな接着剤に限られず、ハードな接着剤であっても良い。液晶パネル１２が緩衝材２２、３３を介して固定されているからである。
【００３２】
また、図２４では、第１の透明絶縁性基板１２ａと第２の透明絶縁性基板１２ｂが同じ形状で、第２の挟持枠体１０ｂの開口部２７に緩衝材３３が設けられ、接着剤２８は、緩衝材２２と第１の透明絶縁性基板１２ａと第２の透明絶縁性基板１２ｂと第２の挟持枠体１０ｂの開口部２７に充填されている。尚、上記構造の場合は、ソフトな接着剤に限られず、ハードな接着剤であっても良い。液晶パネル１２が緩衝材２２、３３を介して固定されているからである。
【００３３】
さらに、図２７では、接着剤２８は、緩衝材２２と第１の透明絶縁性基板１２ａにのみ充填されている。図２９では、第２の挟持枠体１０ｂの開口部２７に緩衝材３３が設けられ、接着剤２８は、緩衝材２２と第１の透明絶縁性基板１２ａと第２の挟持枠体１０ｂの緩衝材３３に充填されている。尚、上記構造の場合は、ソフトな接着剤に限られず、ハードな接着剤であっても良い。液晶パネル１２を構成する第１の透明絶縁性基板１２ａが緩衝材２２または緩衝材２２、３３を介して固定されているからである。
【００３４】
（工程５）
次に、第２の挟持枠体１０ｂの開口部２７から、接着剤２８に紫外線を３秒から６０秒照射することにより、接着剤２８を短時間で硬化させる。尚、前記接着剤２８は、紫外線硬化型接着剤が好ましい。紫外線硬化型接着剤は、紫外線ランプにより、紫外線を３秒から６０秒照射することにより短時間で硬化し生産性に優れている。紫外線硬化型接着剤として、ジーイー東芝シリコーン株式会社製のＴＳＥ３５０、３５０２、３５０３、３５０４、３５６２、３４５３、３４５０、３４６６などが用いられる。上記接着剤の硬化後の硬さは、３０から８０（ＪＩＳ　Ａ）であり、ソフトな接着剤である。上記工程により、液晶パネルユニットが完成する。
【００３５】
上記製造方法によれば、液晶パネルを挟持枠体で挟持してから、液晶パネルの動作検査し、液晶パネルが不良品の場合には液晶パネルを交換し、良品の場合には挟持枠体の開口部から紫外線硬化型接着剤を充填、硬化させることにより、作業性の良い液晶パネルユニットができる。また液晶パネルを固定しても、表示画面にプーリング（波打つ現象）の現象がなく、かつスピーカによる液晶パネルの振動によるビビリ音を防止できる。
【００３６】
次に、上記第１の実施形態に変更を加えた例について、第２の実施形態として、図２の流れ図と共に説明する。図４と図５は、上記第１の実施形態と同一なので、説明は省略する。図９から図１１は、液晶パネルユニットの構成を示すもので、図９は第１の挟持枠体の平面図であり、又図１０は第１の挟持枠体上に液晶パネルを配置した場合の平面図であり、さらに図１１は図１０の液晶パネル上に第２の挟持枠体を配置した場合の平面図である。
【００３７】
液晶パネル１２は、二枚の対向する透明絶縁性基板の間に液晶材料を挟持してなり、又液晶パネルユニットは、前記液晶パネル１２の周縁部を挟持する挟持枠体１０と液晶パネル１２を備えた構成になっている。そして、前記挟持枠体１０は、前記液晶パネル１２の裏面側に設けた第１の挟持枠体１０ａと、前記液晶パネル１２の前面側に設けた第２の挟持枠体１０ｂから構成される。以下、図２、及び図９から図１１を用いて、液晶パネルユニットの製造方法を説明する。
【００３８】
（工程１）
第１の挟持枠体１０ａに、接着剤を充填するための複数の長四角形の開口部３７と、四隅にゴムなどからなる緩衝材２０を設ける（７１）。緩衝材を設ける位置は、液晶パネル１２の周縁部にあたる部分である。緩衝材を設ける方法は、例えば接着剤、又は両面テープにより接着固定する。第１の挟持枠体１０ａには、四隅に設けた鉤型の位置決め部材２４を設けておくと良い。
【００３９】
尚、位置決め部材２４は、液晶パネル１２の厚みと略同じ厚みを有している。開口部の位置は、第２の挟持枠体１０ｂに設けた緩衝材と、液晶パネルの周縁部が露出するようにする。第２の挟持枠体１０ｂには、上辺、下辺、右辺にゴムなどからなる複数の長四角形の緩衝材３２を同様な方法により設ける（７２）。
【００４０】
（工程２）
複数の開口部３７と、緩衝材２０を設けた第１の挟持枠体１０ａに、位置決め部材２４を基準に、液晶パネル１２を第１の挟持枠体１０ａの緩衝材２０上に配置する。次に、前記液晶パネル上に緩衝材３２が設けられている第２の挟持枠体１０ｂを重ねて配置固定する（５６）。上記において、液晶パネル１２の周縁部の一部は、前記開口部３７から、露出するように構成される。
【００４１】
（工程３）
挟持枠体１０ａ、１０ｂで挟持された液晶パネル１２の品質等の検査をおこなう（５７）。液晶パネルの検査工程において、品質上の重大な欠点が発見された場合には、挟持枠体１０ａ、１０ｂと液晶パネル１２の三つに分解し（５８）、液晶パネルを交換する（５９）。良品の場合には次の工程に入る。
【００４２】
（工程４）
良品の場合には、第１の挟持枠体１０ａの開口部３７から接着剤を充填する（７３）。上記接着剤を充填する位置について、説明する。第２の挟持枠体１０ｂに設けた緩衝材と、液晶パネル１２に充填する（７３ａ）。又は第２の挟持枠体１０ｂに設けた緩衝材と、液晶パネル１２と、第１の挟持枠体１０ａの開口部３７に充填する（７３ｂ）。あるいは、第２の挟持枠体１０ｂに設けた緩衝材と、液晶パネル１２を構成する第１の透明絶縁性基板１２ａの周縁部に充填する（７３ｃ）。
【００４３】
本発明の第２の実施形態にかかわる接着剤を充填する工程について、液晶パネルユニットの断面図を用いてさらに詳細に説明する。図１９〜図２２、図２５、図２６、図２８、及び図３０は、液晶パネルユニットの平面図である図１１のＣ―Ｃ矢視断面に示す概略断面図である。尚、液晶パネル１２は、表示裏面側の第１の透明絶縁性基板１２ａと、表示面側の第２の透明絶縁性基板１２ｂから構成される。
【００４４】
図１９において、液晶パネル１２の裏面側に設けた第１の挟持枠体１０ａと、前記液晶パネル１２の前面側に設けた第２の挟持枠体１０ｂは、固定部材３１により固定されている。液晶パネル１２は、第２の透明絶縁性基板１２ｂより第１の透明絶縁性基板１２ａの方が大きいために、階段状になっている。緩衝材３２下に液晶パネルの周縁部が配置され、かつ接着剤２８は、緩衝材３２と第１の透明絶縁性基板１２ａと第２の透明絶縁性基板１２ｂに充填されている。接着剤２８は、第２の挟持枠体１０ｂの開口部３７から充填する。
【００４５】
また、前記接着剤２８は、紫外線硬化型接着剤が好ましい。紫外線硬化型接着剤は、紫外線ランプにより、紫外線を３秒から６０秒照射することにより短時間で硬化し生産性に優れている。紫外線硬化型接着剤として、ジーイー東芝シリコーン株式会社製のＴＳＥ３５０、３５０２、３５０３、３５０４、３５６２、３４５３、３４５０、３４６６などが用いられる。上記接着剤の硬化後の硬さは、３０から８０（ＪＩＳ　Ａ）であり、ソフトな接着剤である。尚、上記構造の場合は、ソフトな接着剤に限られず、ハードな接着剤であっても良い。液晶パネル１２が緩衝材３２を介して固定されているからである。
【００４６】
さらに、以下の説明では、図１９と異なる点のみ説明し、重複部分は、同じ記号を付して説明を省略する。図２０では、接着剤２８は、緩衝材３２と第１の透明絶縁性基板１２ａと第２の透明絶縁性基板１２ｂと第１の挟持枠体１０ａの開口部３７に充填されている。尚、上記構造の場合は、ソフトな接着剤に限られる。液晶パネル１２と第１の挟持枠体１０ａの開口部３７に接着剤２８が充填されているからである。
【００４７】
そして、図２１では、第１の透明絶縁性基板１２ａと第２の透明絶縁性基板１２ｂが同じ形状で、接着剤２８は、緩衝材３２と第１の透明絶縁性基板１２ａと第２の透明絶縁性基板１２ｂに充填されている。尚、上記構造の場合は、ソフトな接着剤に限られず、ハードな接着剤であっても良い。液晶パネル１２が緩衝材３２を介して固定されているからである。
【００４８】
また、図２２では、第１の透明絶縁性基板１２ａと第２の透明絶縁性基板１２ｂが同じ形状で、接着剤２８は、緩衝材３２と第１の透明絶縁性基板１２ａと第２の透明絶縁性基板１２ｂと第１の挟持枠体１０ａの開口部３７に充填されている。尚、上記構造の場合は、ソフトな接着剤に限られる。液晶パネル１２と第１の挟持枠体１０ａの開口部３７に接着剤２８が充填されているからである。
【００４９】
さらに、図２５では、第１の挟持枠体１０ａの開口部３７に緩衝材３３が設けられ、接着剤２８は、緩衝材３２と第１の透明絶縁性基板１２ａと第２の透明絶縁性基板１２ｂと第１の挟持枠体１０ａの開口部３７に充填されている。図２６では、第１の透明絶縁性基板１２ａと第２の透明絶縁性基板１２ｂが同じ形状で、第１の挟持枠体１０ａの開口部３７に緩衝材３４が設けられ、接着剤２８は、緩衝材３２と第１の透明絶縁性基板１２ａと第２の透明絶縁性基板１２ｂと第１の挟持枠体１０ａの開口部３７に充填されている。尚、上記構造の場合は、ソフトな接着剤に限られず、ハードな接着剤であっても良い。液晶パネル１２が緩衝材３２、３４を介して固定されているからである。
【００５０】
そして、図２８では、接着剤２８は、緩衝材３２と第１の透明絶縁性基板１２ａにのみ充填されている。図３０では、第１の挟持枠体１０ａの開口部３７に緩衝材３４が設けられ、接着剤２８は、第１の透明絶縁性基板１２ａと第１の挟持枠体１０ａの緩衝材３４に充填されている。尚、上記構造の場合は、ソフトな接着剤に限られず、ハードな接着剤であっても良い。液晶パネル１２を構成する第１の透明絶縁性基板１２ａが緩衝材３２または緩衝材３２、３４を介して固定されているからである。
【００５１】
（工程５）
次に、第１の挟持枠体１０ａの開口部３７から、接着剤２８に紫外線を３秒から６０秒照射することにより、接着剤２８を短時間で硬化させる。尚、前記接着剤２８は、紫外線硬化型接着剤が好ましい。紫外線硬化型接着剤は、紫外線ランプにより、紫外線を３秒から６０秒照射することにより短時間で硬化し生産性に優れている。紫外線硬化型接着剤として、ジーイー東芝シリコーン株式会社製のＴＳＥ３５０、３５０２、３５０３、３５０４、３５６２、３４５３、３４５０、３４６６などが用いられる。上記接着剤の硬化後の硬さは、３０から８０（ＪＩＳ　Ａ）であり、ソフトな接着剤である。上記工程により、液晶パネルユニットが完成する。
【００５２】
上記製造方法によれば、液晶パネルを挟持枠体で挟持してから、液晶パネルの動作検査し、液晶パネルが不良品の場合には液晶パネルを交換し、良品の場合には挟持枠体の開口部から紫外線硬化型接着剤を充填、硬化させることにより、作業性の良い液晶パネルユニットができる。また液晶パネルを固定しても、表示画面にプーリング（波打つ現象）の現象がなく、かつスピーカによる液晶パネルの振動によるビビリ音を防止できる。
【００５３】
さらに、上記第２の実施形態に変更を加えた例について、第３の実施形態として、図３の流れ図と共に説明する。図１２〜図１４は、液晶パネルユニットの構成を示すもので、図１２は第１の挟持枠体の平面図であり、又図１３は第１の挟持枠体上に液晶パネルを配置した場合の平面図であり、さらに図１４は図１３の液晶パネル上に第２の挟持枠体を配置した場合の平面図である。
【００５４】
液晶パネル１２は、二枚の対向する透明絶縁性基板の間に液晶材料を挟持してなり、又液晶パネルユニットは、前記液晶パネル１２の周縁部を挟持する挟持枠体１０と液晶パネル１２を備えた構成になっている。そして、前記挟持枠体１０は、前記液晶パネル１２の裏面側に設けた第１の挟持枠体１０ａと、前記液晶パネル１２の前面側に設けた第２の挟持枠体１０ｂから構成される。以下、図３、及び図１２〜図１４を用いて、液晶パネルユニットの製造方法を詳細に説明する。
【００５５】
尚、第３の実施形態は、第１の実施形態と第２の実施形態を合せ持つ構成であり、製造方法も一部重複しているので、重複部分は同一記号を記載し、説明を省略する。
【００５６】
（工程１）
第１の挟持枠体１０ａに、接着剤を充填するための複数の開口部３７と、その四隅、上下辺、左右辺にゴムなどからなる緩衝材２０、２２を設ける（７６）。緩衝材を設ける位置は、液晶パネル１２の周縁部にあたる部分である。緩衝材を設ける方法は、例えば接着剤、又は両面テープにより接着固定する。開口部の位置は、第２の挟持枠体１０ｂに設けた緩衝材と、液晶パネルの周縁部が露出するようにする。第１の挟持枠体１０ａには、四隅に設けた鉤型の位置決め部材２４を設けておくと良い。尚、位置決め部材２４は、液晶パネル１２の厚みと略同じ厚みを有している。
【００５７】
第２の挟持枠体１０ｂには、接着剤を充填するための複数の開口部２７と、ゴムなどからなる緩衝材２０を同様な方法により設ける。開口部の位置は、第１の挟持枠体１０ａに設けた緩衝材と、液晶パネルの周縁部の一部が露出するようにする。第１の挟持枠体１０ａに設けた開口部３７の位置と、第２の挟持枠体１０ｂに設けた開口部２７の位置は、互いに異なる位置になるように設ける（７７）。
【００５８】
（工程２）
複数の開口部３７と、緩衝材２０、２２と位置決め部材２４を設けた第１の挟持枠体１０ａに、位置決め部材２４を基準に、液晶パネル１２を第１の挟持枠体１０ａの緩衝材２０、２２上に配置する。次に、前記液晶パネル上に複数の開口部２７と緩衝材２０、３２が設けられている第２の挟持枠体１０ｂを重ねて配置固定する（５６）。上記において、液晶パネル１２の周縁部の一部は、前記開口部２７、３７から、露出するように構成される。
【００５９】
（工程３）
挟持枠体１０ａ、１０ｂで挟持された液晶パネル１２の品質等の検査をおこなう（５７）。液晶パネルの検査工程において、品質上の重大な欠点が発見された場合には、挟持枠体１０ａ、１０ｂと液晶パネル１２の三つに分解し（５８）、液晶パネルを交換する（５９）。良品の場合には次の工程に入る。
【００６０】
（工程４）
良品の場合には、第１挟持枠体１０ａの複数の開口部３７と、第２の挟持枠体１０ｂの開口部２７から接着剤を充填する（７８）。上記接着剤を充填する位置について、説明する。
【００６１】
第１の挟持枠体１０ａ、及び第２の挟持枠体１０ｂに設けた緩衝材と、液晶パネル１２に充填する（７８ａ）。又は第１の挟持枠体１０ａ、及び第２の挟持枠体１０ｂに設けた緩衝材と、液晶パネル１２と、第１挟持枠体１０ａの複数の開口部３７及び第２の挟持枠体１０ｂの開口部２７に充填する（７８ｂ）。あるいは、第１の挟持枠体１０ａ及び第２の挟持枠体１０ｂに設けた緩衝材と、液晶パネル１２を構成する第１の透明絶縁性基板１２ａの周縁部に充填する（７８ｃ）。
【００６２】
尚、第３の実施形態は、第１の実施形態と第２の実施形態を合せ持つ構成で、液晶パネルユニットの平面図である図１４のＢ―Ｂ矢視断面に示す概略断面図である図１５〜図１８、図２３、図２４、図２７、及び図２９は、第１の実施形態にかかわる接着剤を充填する工程において、詳細に説明したので、ここでは説明を省略する。
【００６３】
また、液晶パネルユニットの平面図である図１４のＣ―Ｃ矢視断面に示す概略断面図である図１９〜図２２、図２５、図２６、図２８、及び図３０は、第２の実施形態にかかわる接着剤を充填する工程において、詳細に説明したので、ここでは説明を省略する。
【００６４】
（工程５）
次に、第２の挟持枠体１０ｂの開口部２７及び第１の挟持枠体１０ａの開口部３７から、接着剤２８に紫外線を３秒から６０秒照射することにより、接着剤２８を短時間で硬化させる。尚、前記接着剤２８は、紫外線硬化型接着剤が好ましい。紫外線硬化型接着剤は、紫外線ランプにより、紫外線を３秒から６０秒照射することにより短時間で硬化し生産性に優れている。紫外線硬化型接着剤として、ジーイー東芝シリコーン株式会社製のＴＳＥ３５０、３５０２、３５０３、３５０４、３５６２、３４５３、３４５０、３４６６などが用いられる。上記接着剤の硬化後の硬さは、３０から８０（ＪＩＳ　Ａ）であり、ソフトな接着剤である。上記工程により、液晶パネルユニットが完成する。
【００６５】
上記製造方法によれば、液晶パネルを挟持枠体で挟持してから、液晶パネルを検査し、液晶パネルが不良品の場合には液晶パネルを交換し、良品の場合には挟持枠体の開口部から紫外線硬化型接着剤を充填、硬化させることにより、作業性の良い液晶パネルユニットができる。また、液晶パネルを固定しても、表示画面にプーリング（波打つ現象）の現象がなく、かつスピーカによる液晶パネルの振動によるビビリ音を防止できる。
【００６６】
以下に、本発明の第４の実施形態で、液晶表示装置の製造方法について、図面を用いて説明する。図１〜図３は、本発明の液晶表示装置の製造方法を示す流れ図である。図４における（ａ）部は、本発明の液晶表示装置の正面図であり、図４における（ｂ）部は、右側面図である。図５は、図４における（ａ）部のＡ―Ａ矢視断面を示す概略断面図である。
【００６７】
液晶表示装置には、図４に示すように低音域を再生するスピーカ（ウーハー）５と、ウーハーの左右に中高音域を再生する左右一組のスピーカ４、４を備え、又液晶表示装置本体を支えるスタンド支柱３とスタンド支持台２を具備した構成になっている。１２Ｃは、液晶画面の表示面である。
【００６８】
また、光源ユニットは、ランプ７と、このランプ７からの光を前面側に反射する反射板６と、前記ランプの前面側に配置され、このランプから直接入射する光，もしくは前記ランプからの光が前記反射板６にて反射されて導かれる光を拡散する拡散板１４とを有しており、この拡散板１４と輝度の向上及び均一化のための光学シート１３等を介して、前面側に配される液晶パネル１２の照明をおこなう構成になっている。
【００６９】
そして、ランプ７は線状蛍光ランプからなり、反射板６は、この線状蛍光ランプ７側の面が可視光域において高い反射率を持つように形成され、拡散板１４へ線状蛍光ランプ７の光が反射するようになっている。ランプ７は、ランプホルダー８により反射板８に取付けられ、反射板８と挟持枠体１０は、亜鉛ダイキャスト等からなる支持台９により固定されている。さらに、液晶パネルユニットと光源ユニットは、前面筐体１６と裏面筐体１７により、固定されている。
【００７０】
ランプ７とこのランプ７からの光を前面側に反射する反射板６を備えた光源ユニット６３に、上記第１から第３の実施形態の方法で製造された液晶パネルユニット６２を設け、前面筐体１６と裏面筐体１７を備えた筐体６４を組立てすることにより（６５）、液晶表示装置が完成（６６）する。
【００７１】
本発明にかかわる接着剤の充填する工程について、断面図を用いて説明する。図３１、及び図３２は、液晶表示装置の概略断面図である図５における（イ）部の拡大断面図であり、また液晶パネルユニットの平面図である図５のＢ―Ｂ矢視断面に相当する部分の断面図でもある。図３１は、液晶パネルユニットの製造方法の図１５に対応し、また図３２は、液晶パネルユニットの製造方法の図１６に対応する。
【００７２】
図３１において、液晶パネル１２と液晶パネル１２の裏面側に設けた第１の挟持枠体１０ａと、前記液晶パネル１２の前面側に設けた第２の挟持枠体１０ｂからなる液晶パネルユニットは支持台９に固定部材３０により固定されている。液晶パネル１２は、第２の透明絶縁性基板１２ｂより第１の透明絶縁性基板１２ａの方が大きいために、階段状になっている。緩衝材２２上に液晶パネルの周縁部が配置され、かつ接着剤２８は、緩衝材２０と第１の透明絶縁性基板１２ａと第２の透明絶縁性基板１２ｂに充填されている。尚、図３２については、重複説明になるので、説明を省略する。
【００７３】
また、図３３、及び図３４は、液晶表示装置の概略断面図である図２における（ロ）部の拡大断面図であり、また液晶パネルユニットの平面図である図８のＣ―Ｃ矢視断面に相当する部分の断面図でもある。図３３は、液晶パネルユニットの製造方法の図１９に対応し、また図３４は、液晶パネルユニットの製造方法の図２０に対応する。
【００７４】
図３３において、液晶パネル１２と液晶パネル１２の裏面側に設けた第１の挟持枠体１０ａと、前記液晶パネル１２の前面側に設けた第２の挟持枠体１０ｂからなる液晶パネルユニットは支持台９に固定部材３０により固定されている。液晶パネル１２は、第２の透明絶縁性基板１２ｂより第１の透明絶縁性基板１２ａの方が大きいために、階段状になっている。緩衝材３２下に液晶パネルの周縁部が配置され、かつ接着剤２８は、緩衝材３２と第１の透明絶縁性基板１２ａと第２の透明絶縁性基板１２ｂに充填されている。尚、図３４については、重複説明になるので、説明を省略する。
【００７５】
上記製造方法によれば、液晶パネルを挟持枠体で挟持してから、液晶パネルを検査し、液晶パネルが不良品の場合には液晶パネルを交換し、良品の場合には挟持枠体の開口部から紫外線硬化型接着剤を充填、硬化させる方法により、製造した液晶パネルユニットを備えている液晶表示装置であるので、作業性の良い液晶表示装置ができる。また、液晶パネルを固定しても、表示画面にプーリング（波打つ現象）の現象がなく、かつスピーカによる液晶パネルの振動によるビビリ音を防止できる。
【００７６】
【発明の効果】
上述したように本発明は、液晶パネルと、挟持枠体を備えた液晶パネルユニットの製造方法において、第１挟持枠体に緩衝材を設ける工程と、第２挟持枠体に開口部と緩衝材を設ける工程と、挟持枠体で液晶パネルを挟持する工程と、液晶パネルを検査する工程と、挟持枠体の開口部から接着剤を充填する工程と、接着剤に開口部を介して紫外線を照射して、接着剤を硬化する工程を備えた液晶パネルユニットの製造方法としているので、作業性の良い液晶パネルユニットができる。また、液晶パネルを固定しても、表示画面にプーリング（波打つ現象）の現象がなく、かつスピーカによる液晶パネルの振動によるビビリ音を防止できる。
【００７７】
また、液晶パネルと、挟持枠体を備えた液晶パネルユニットの製造方法において、第１挟持枠体に複数の開口部と、緩衝材を設ける工程と、第２挟持枠体に緩衝材を設ける工程と、挟持枠体で液晶パネルを挟持する工程と、液晶パネルを検査する工程と、挟持枠体の開口部から接着剤を充填する工程と、接着剤に開口部を介して紫外線を照射して、接着剤を硬化する工程を備えた液晶パネルユニットの製造方法としているので、作業性の良い液晶パネルユニットができる。また、液晶パネルを固定しても、表示画面にプーリング（波打つ現象）の現象がなく、かつスピーカによる液晶パネルの振動によるビビリ音を防止できる。
【００７８】
そして、液晶パネルと、挟持枠体を備えた液晶パネルユニットの製造方法において、第１の挟持枠体に開口部と緩衝材を設ける工程と、第２の挟持枠体に前記第１の挟持枠体と異なる位置に開口部と緩衝材を設ける工程と、挟持枠体で液晶パネルを挟持する工程と、液晶パネルを検査する工程と、挟持枠体の開口部から接着剤を充填する工程と、接着剤に開口部を介して紫外線を照射して、接着剤を硬化する工程を備えた液晶パネルユニットの製造方法としているので、作業性の良い液晶パネルユニットができる。また、液晶パネルを固定しても、表示画面にプーリング（波打つ現象）の現象がなく、かつスピーカによる液晶パネルの振動によるビビリ音を防止できる。
【００７９】
さらに、上記の液晶パネルユニットと、液晶パネルの裏面側から該液晶パネルの照明をおこなう光源と、液晶パネルの裏面側であって前記光源を囲むように設けられた反射板を設けた光源ユニットを備えた液晶表示装置の製造方法において、液晶パネルユニットと光源ユニットを筐体に固定する工程を含む液晶表示装置の製造方法としているので、作業性の良い液晶表示装置ができる。また、液晶パネルを固定しても、表示画面にプーリング（波打つ現象）の現象がなく、かつスピーカによる液晶パネルの振動によるビビリ音を防止できる。
【図面の簡単な説明】
【図１】本発明の第１の実施形態にかかわる液晶パネルユニットの製造方法、及び第４の実施形態にかかわる液晶表示装置の製造方法を示す流れ図である。
【図２】本発明の第２の実施形態にかかわる液晶パネルユニットの製造方法、及び第４の実施形態にかかわる液晶表示装置の製造方法を示す流れ図である。
【図３】本発明の第３の実施形態にかかわる液晶パネルユニットの製造方法、及び第４の実施形態にかかわる液晶表示装置の製造方法を示す流れ図である。
【図４】（ａ）は、本発明にかかわる液晶表示装置の正面図である。
（ｂ）は、（ａ）の右側面図である。
【図５】図４のＡ―Ａ矢視断面を示す概略断面図である。
【図６】本発明の第１の実施形態にかかわる液晶パネルユニットを構成する第１の挟持枠体の平面図である。
【図７】図６の第１の挟持枠体上に液晶パネルを配置した場合の平面図である。
【図８】図７の液晶パネル上に第２の挟持枠体を配置した場合の平面図である。
【図９】本発明の第２の実施形態にかかわる第１の挟持枠体の平面図である。
【図１０】図９の第１の挟持枠体上に液晶パネルを配置した場合の平面図である。
【図１１】図１０の液晶パネル上に第２の挟持枠体を配置した場合の平面図である。
【図１２】本発明の第３の実施形態にかかわる第１の挟持枠体の平面図である。
【図１３】図１２の第１の挟持枠体上に液晶パネルを配置した場合の平面図である。
【図１４】図１３の液晶パネル上に第２の挟持枠体を配置した場合の平面図である。
【図１５】本発明の第１の実施形態にかかわる液晶パネルユニットの図８のＢ―Ｂ矢視断面を示す概略断面図である。
【図１６】本発明の第１の実施形態にかかわる液晶パネルユニットの他の例で、図８のＢ―Ｂ矢視断面を示す概略断面図である。
【図１７】本発明の第１の実施形態にかかわる液晶パネルユニットの他の例で、図８のＢ―Ｂ矢視断面を示す概略断面図である。
【図１８】本発明の第１の実施形態にかかわる液晶パネルユニットの他の例で、図８のＢ―Ｂ矢視断面を示す概略断面図である。
【図１９】本発明の第２の実施形態にかかわる液晶パネルユニットの図１１のＣ―Ｃ矢視断面を示す概略断面図である。
【図２０】本発明の第２の実施形態にかかわる液晶パネルユニットの他の例で、図１１のＣ―Ｃ矢視断面を示す概略断面図である。
【図２１】本発明の第２の実施形態にかかわる液晶パネルユニットの他の例で、図１１のＣ―Ｃ矢視断面を示す概略断面図である。
【図２２】本発明の第２の実施形態にかかわる液晶パネルユニットの他の例で、図１１のＣ―Ｃ矢視断面を示す概略断面図である。
【図２３】本発明の第１の実施形態にかかわる液晶パネルユニットの他の例で、図８のＢ―Ｂ矢視断面を示す概略断面図である。
【図２４】本発明の第１の実施形態にかかわる液晶パネルユニットの他の例で、図８のＢ―Ｂ矢視断面を示す概略断面図である。
【図２５】本発明の第２の実施形態にかかわる液晶パネルユニットの他の例で、図１１のＣ―Ｃ矢視断面を示す概略断面図である。
【図２６】本発明の第２の実施形態にかかわる液晶パネルユニットの他の例で、図１１のＣ―Ｃ矢視断面を示す概略断面図である。
【図２７】本発明の第１の実施形態にかかわる液晶パネルユニットの他の例で、図８のＢ―Ｂ矢視断面を示す概略断面図である。
【図２８】本発明の第２の実施形態にかかわる液晶パネルユニットの他の例で、図１１のＣ―Ｃ矢視断面を示す概略断面図である。
【図２９】本発明の第１の実施形態にかかわる液晶パネルユニットの他の例で、図８のＢ―Ｂ矢視断面を示す概略断面図である。
【図３０】本発明の第２の実施形態にかかわる液晶パネルユニットの他の例で、図１１のＣ―Ｃ矢視断面を示す概略断面図である。
【図３１】本発明の第１の実施形態にかかわる液晶表示装置の図５における（イ）部の拡大断面図で、液晶パネルユニットの図８のＢ―Ｂ矢視断面に相当する部分の概略断面図である。
【図３２】本発明の第１の実施形態にかかわる液晶表示装置の他の例で、図５にける（イ）部の拡大断面図で、液晶パネルユニットの図８のＢ―Ｂ矢視断面に相当する部分の概略断面図である。
【図３３】本発明の第２の実施形態にかかわる液晶表示装置の図５にける（ロ）部の拡大断面図で、液晶パネルユニットの図１１のＣ―Ｃ矢視断面に相当する部分の概略断面図である。
【図３４】本発明の第２の実施形態にかかわる液晶表示装置の他の例で、図５にける（ロ）部の拡大断面図で、液晶パネルユニットの図１１のＣ―Ｃ矢視断面に相当する部分の概略断面図である。
【図３５】従来技術の液晶表示装置の斜視図である。
【図３６】従来技術の液晶表示装置の概略断面図である。
【符号の説明】
２　スタンド支持台
３　スタンド支柱
４　高中音用スピーカ
５　低音用スピーカ
６　反射板
７　ランプ
８　ランプホルダー
９　反射板と液晶パネルユニットの支持台
１０　挟持枠体
１０ａ　第１の挟持枠体
１０ｂ　第２の挟持枠体
１２　液晶パネル
１２ａ　液晶パネルを構成する第１の透明絶縁基板
１２ｂ　液晶パネルを構成する第２の透明絶縁基板
１２ｃ　液晶パネルの表示面
１３　光学シート
１４　拡散板
１６　前面筐体
１７　裏面筐体
１８、１９、２０、２２、３２、３３、３４　緩衝材
２４　位置決め部材
２７、３７　開口部
２８　接着剤
３０、３１　固定部材
５７　液晶パネルの動作検査
６２　液晶パネルユニットの完成
６３　光源ユニット
６４　筐体
６６　液晶表示装置の完成
【図１】
2004133100.tif 000003
【図２】
2004133100.tif 000004
【図３】
2004133100.tif 000005
【図４】
2004133100.tif 000006
【図５】
2004133100.tif 000007
【図６】
2004133100.tif 000008
【図７】
2004133100.tif 000009
【図８】
2004133100.tif 000010
【図９】
2004133100.tif 000011
【図１０】
2004133100.tif 000012
【図１１】
2004133100.tif 000013
【図１２】
2004133100.tif 000014
【図１３】
2004133100.tif 000015
【図１４】
2004133100.tif 000016
【図１５】
2004133100.tif 000017
【図１６】
2004133100.tif 000018
【図１７】
2004133100.tif 000019
【図１８】
2004133100.tif 000020
【図１９】
2004133100.tif 000021
【図２０】
2004133100.tif 000022
【図２１】
2004133100.tif 000023
【図２２】
2004133100.tif 000024
【図２３】
2004133100.tif 000025
【図２４】
2004133100.tif 000026
【図２５】
2004133100.tif 000027
【図２６】
2004133100.tif 000028
【図２７】
2004133100.tif 000029
【図２８】
2004133100.tif 000030
【図２９】
2004133100.tif 000031
【図３０】
2004133100.tif 000032
【図３１】
2004133100.tif 000033
【図３２】
2004133100.tif 000034
【図３３】
2004133100.tif 000035
【図３４】
2004133100.tif 000036
【図３５】
2004133100.tif 000037
【図３６】
2004133100.tif 000038